(57)【要約】【課題】片手のみを用いて開閉を容易に行うことができる携帯情報端末装置に適合する開閉装置を実現する。【解決手段】開閉装置は、ヒンジ部ギア１の外部部材に結合された付属筐体の開閉にあたり、スイッチ部２がストッパー部３を動かすことによってヒンジ部突起部材をストッパー部３より離し、ヒンジ部ギア１の内部に設置された弾性体の復元力を原動力として付属筐体を開ける手段、スイッチ部２の表面のギアとヒンジ部ギア１の外側のギアがかみ合い、スイッチ部２の操作を原動力として付属筐体を閉じる手段、更に、スイッチ部２の操作により電気スイッチの操作も同時に行う手段が設けられている。【選択図】　図１
2004084838.tif 000002
【特許請求の範囲】
【請求項１】
本体筐体と、前記本体筐体の内側を覆う閉位置と前記本体筐体の内側が露出される開位置との間で回動自在にヒンジ結合された付属筐体との開閉を行う開閉装置であって、
前記付属筐体に結合されたヒンジ部ギア部材と、前記ヒンジ部ギア部材に設けられた突起部材と、前記ヒンジ部ギア部材の内部に設けられたヒンジ部ギア内部部材と、前記ヒンジ部ギア部材と前記ヒンジ部ギア内部部材の間に設置され、前記付属筐体が前記閉位置にある際に前記付属筐体を前記開位置に回動させる力を保持する弾性体とからなるヒンジ部と、
直線状にスライドする開閉操作部と、前記開閉操作部に設けられた突起部材とからなるスイッチ部と、
前記付属筐体が前記閉位置にある際に、前記ヒンジ部の前記突起部材を係止すると共に、前記係止ガイドを行うヒンジ保持部と、前記開閉操作部をスライドさせることにより、前記開閉操作部に設けられた前記突起部材が前記ヒンジ保持部に係止される前記ヒンジ部の前記突起部材の前記係止を解除するガイドを行うスイッチ接触部とからなるストッパー部と
を具備することを特徴とする開閉装置。
【請求項２】
前記開閉操作部を第１の方向へスライドさせたとき、前記ヒンジ部の前記突起部材の前記係止が解除され、前記ヒンジ部の前記弾性体の力によって前記付属筐体を前記開位置へ回動することを特徴とする請求項１記載の開閉装置。
【請求項３】
前記付属筐体を前記開位置へ回動した後、前記開閉操作部を定位置へ戻す開時戻りバネを前記スイッチ部に設けたことを特徴とする請求項２記載の開閉装置。
【請求項４】
前記付属筐体を前記開位置へ回動した時の前記開閉操作部のスライドにより、前記本体筐体および前記付属筐体への電力を供給するスイッチを作動させることを特徴とする請求項２記載の開閉装置。
【請求項５】
前記スイッチ部の前記開閉操作部には、前記ヒンジ部ギア部材のギアとかみ合う面状ギアが設けられ、
前記開閉操作部を第２の方向へスライドさせることに伴い、前記面状ギアにより前記ヒンジ部ギア部材を回動させることによって、前記付属筐体を前記閉位置へ回動させると共に、前記ヒンジ保持部のガイドによって前記ヒンジ部の前記突起部材を前記ヒンジ保持部に前記係止させることを特徴とする請求項１記載の開閉装置。
【請求項６】
前記付属筐体を前記閉位置へ回動した後、前記開閉操作部を定位置へ戻す閉時戻りバネを前記スイッチ部に設けたことを特徴とする請求項５記載の開閉装置。
【請求項７】
前記付属筐体を前記閉位置へ回動した時の前記開閉操作部のスライドにより、前記本体筐体および前記付属筐体への電力を切断するスイッチを作動させることを特徴とする請求項５記載の開閉装置。
【請求項８】
ヒンジ部を介して開閉可能に接続された本体筐体と付属筐体とからなる携帯情報端末装置であって、
前記本体筐体に設けられ、該本体筐体に対してスライド動作可能なスイッチと、前記携帯情報端末装置が閉位置にあるときに、この状態を維持させるロック機構とを備え、
該ロック機構は、前記スイッチを第１の方向へ移動したとき、前記本体筐体内のロックを解除して前記付属筐体を前記本体筐体から離れる方向に移動することを可能とし、
前記スイッチが前記第１の方向とは異なる第２の方向に移動し、前記本体筐体と前記付属筐体が閉位置になると、前記ロックを作用させてロック状態とすることを特徴とする携帯情報端末装置。
【請求項９】
ヒンジ部を介して開閉可能に接続された本体筐体と付属筐体とからなる携帯情報端末装置であって、
前記本体筐体に設けられ、該本体筐体に対してスライド動作可能なスイッチと、前記ヒンジ部内に設けられ、前記スイッチのスライドに応じて回動して前記付属筐体を閉位置と開位置間で移動させる回動部材と、
前記付属筐体が閉位置にあるときに前記回動部材の回動動作を抑止するとともに、前記スイッチを前記付属筐体が開位置へ移動する方向へスライドすることによって前記回動部材の回動動作を可能とするロック機構と
を具備することを特徴とする携帯情報端末装置。
【発明の詳細な説明】
【０００１】
【発明の属する技術分野】
本発明は、折畳み可能な携帯情報端末装置に係り、特に、片手での操作で容易に開閉可能とする開閉装置、および、片手での操作で容易に開閉可能な携帯情報端末装置に関する。
【０００２】
【従来の技術】
近年、携帯性や操作性に優れていることから、折畳み型の携帯情報端末装置が主流となっている。ところが、このような携帯情報端末装置には、開閉をどのような状況にあっても簡単に行うための機構が備わっていないため、全てを利用者の手の力で行っていた。例えば、開ける際には本体筐体と付属筐体を両手で保持して開けたり、片手がふさがっている場合には、開いている片手で開閉部の隙間に指を入れてこじ開けたりしていた。閉じる際にも同様であり、両手で保持して閉じたり、片手がふさがっている場合には開いている片手で携帯情報端末装置を何かに押し当てて閉じるなどの不安定な動作を行っていた。
【０００３】
【発明が解決しようとする課題】
二つ折り型携帯電話に代表される開閉機構をもった携帯情報端末装置は、常に手軽に用いることが求められている。しかし、例えば二つ折り型携帯電話の場合、従来は着信時に片手がふさがっていたりすると、開く動作に手間取ることもあった。そのため、電話に出られなかったり、通話に出たときにはすでに切られるなどの不都合が生じることがあった。また、手に荷物を持っていると、両手を使って開閉することが困難であり、片手で開閉しようとすると、不自然な指の動かし方により手指に負担がかかるなどの問題点があった。
【０００４】
従って、本発明は、片手による操作で簡単に開閉を行うことが可能な開閉装置および携帯情報端末装置を提供することを目的とする。
【０００５】
【課題を解決するための手段】
上記目的を達成するために、本発明の開閉装置は、本体筐体と、前記本体筐体の内側を覆う閉位置と前記本体筐体の内側が露出される開位置との間で回動自在にヒンジ結合された付属筐体との開閉を行う開閉装置であって、前記付属筐体に結合されたヒンジ部ギア部材と、前記ヒンジ部ギア部材に設けられた突起部材と、前記ヒンジ部ギア部材の内部に設けられたヒンジ部ギア内部部材と、前記ヒンジ部ギア部材と前記ヒンジ部ギア内部部材の間に設置され、前記付属筐体が前記閉位置にある際に前記付属筐体を前記開位置に回動させる力を保持する弾性体とからなるヒンジ部と、直線状にスライドする開閉操作部と、前記開閉操作部に設けられた突起部材とからなるスイッチ部と、前記付属筐体が前記閉位置にある際に、前記ヒンジ部の前記突起部材を係止すると共に、前記係止ガイドを行うヒンジ保持部と、前記開閉操作部をスライドさせることにより、前記開閉操作部に設けられた前記突起部材が前記ヒンジ保持部に係止される前記ヒンジ部の前記突起部材の前記係止を解除するガイドを行うスイッチ接触部とからなるストッパー部とを備えることを特徴とする。
【０００６】
また、本発明の携帯情報端末装置は、ヒンジ部を介して開閉可能に接続された本体筐体と付属筐体とからなる携帯情報端末装置であって、前記本体筐体に設けられ、該本体筐体に対してスライド動作可能なスイッチと、前記携帯情報端末装置が閉位置にあるときに、この状態を維持させるロック機構とを備え、該ロック機構は、前記スイッチを第１の方向へ移動したとき、前記本体筐体内のロックを解除して前記付属筐体を前記本体筐体から離れる方向に移動することを可能とし、前記スイッチが前記第１の方向とは異なる第２の方向に移動し、前記本体筐体と前記付属筐体が閉位置になると、前記ロックを作用させてロック状態とすることを特徴とする。
【０００７】
また、本発明の携帯情報端末装置は、ヒンジ部を介して開閉可能に接続された本体筐体と付属筐体とからなる携帯情報端末装置であって、前記本体筐体に設けられ、該本体筐体に対してスライド動作可能なスイッチと、前記ヒンジ部内に設けられ、前記スイッチのスライドに応じて回動して前記付属筐体を閉位置と開位置間で移動させる回動部材と、前記付属筐体が閉位置にあるときに前記回動部材の回動動作を抑止するとともに、前記スイッチを前記付属筐体が開位置へ移動する方向へスライドすることによって前記回動部材の回動動作を可能とするロック機構とを具備することを特徴とする。
【０００８】
本発明によれば、片手で、かつ、容易に携帯情報端末装置の開閉を行うことができる。
【０００９】
【発明の実施の形態】
以下に、本発明による開閉装置の実施の形態を、二つ折り型携帯電話を例として、図面を参照して説明する。
【００１０】
図１は、本発明の実施形態に係わる開閉装置を示す立体図、図２は同じく（ａ）が上面図、（ｂ）が側面図である。１はギア形状のヒンジ部ギア、２は開閉操作のスイッチ部、３はストッパー部である。更に、４はスイッチ部２を保持するスイッチ保持部、５はストッパー部バネ、６ａはスイッチ部開時戻り用バネ、６ｂはスイッチ部閉時戻り用バネである。スイッチ部閉時戻り用バネ６ｂはスイッチ保持部４の内部に設置されており、図１の立体図では省略している。
【００１１】
７ａは開時電気スイッチであり、開動作の際に携帯電話をオン状態とする電気スイッチ、７ｂは閉時電気スイッチであり、閉動作の際に携帯電話をオフ状態とする電気スイッチである。これらも図１の立体図では省略している。
【００１２】
また、図２は、図１の部材が携帯電話の筐体に取り付けられている形態を示す。即ち、８ａは固定側の本体筐体であり、内側にキーボードが設置されており、下側にマイクが設けられている。８ｂは可動側の付属筐体であり、内側にディスプレーが設置されており、上側にスピーカが設けられている。この本体筐体８ａと付属筐体８ｂはヒンジ８ｃによって付属筐体８ｂが回動するように連結されている。このヒンジ８ｃは、携帯電話正面より見て左右に設けられている。
【００１３】
スイッチ部２、ストッパー部３、スイッチ保持部４、ストッパー部バネ５、スイッチ部開時戻り用バネ６ａ、スイッチ部閉時戻り用バネ６ｂ、開時電気スイッチ７ａ、閉時電気スイッチ７ｂは、いずれも本体筐体８ａの、例えば携帯電話正面より見て左側（図２（ａ）の下側）のヒンジ８ｃの近傍に設けられるが、右側（図２（ａ）の上側）のヒンジ８ｃの近傍に設けてもよい。
【００１４】
図３は、ヒンジ部ギア１の構造を示す図であり、（ａ）にはヒンジ部ギア１を上から見た構造が、そして（ｂ）にはヒンジ部ギア１を横から見た構造が示されている。１１はヒンジ部ギア部材であり、付属筐体８ｂのヒンジ８ｃに取り付けられている。また、ヒンジ部ギア部材１１の外周には円筒状のギアが刻まれており、更に、ヒンジ部ギア部材１１にはヒンジ部突起部材１２が結合されている。１３はヒンジ部ギア内部部材であり、ヒンジ８ｃの軸（図示せず）に取り付けられている。ヒンジ部ギア部材１１とヒンジ部ギア内部部材１３との間には、図では省略しているが、付属筐体８ｂの自在の回動を可能とするための周知のボールベアリング機構が備えられると同時に、ヒンジ部弾性体１６が設けられている。
【００１５】
ヒンジ部弾性体１６はコイルバネであって、一方の端点がヒンジ部弾性体固定部材１４によってヒンジ部ギア部材１１に固定され、他方の端点がヒンジ部弾性体固定部材１５によってヒンジ部ギア内部部材１３に固定されている。本体筐体８ａと付属筐体８ｂとの取り付けに際して、ヒンジ８ｃに取り付けられるヒンジ部ギア１のヒンジ部弾性体１６は付属筐体８ｂの閉位置にあっては、それを開位置へ回動させる力を有する状態に保って収納されている。
【００１６】
図４はスイッチ部２の詳細を示す上面図である。２１はスイッチ部突起部材であり、開動作時にストッパー部３を押出すために備えられている。２２はスイッチ部面状ギアであり、スイッチ部２のスライドによりヒンジ部ギア部材１１に刻まれたギアとかみ合う規格のギアが刻まれている。２３はスイッチ部誤動作防止部であり、鞄の中などにこの携帯電話が入れられている場合に、何かが触れることによる誤った開閉が行われるのを防止するための装置である。このスイッチ部誤動作防止部２３を押すことにより、爪がはずれスイッチ部２のスライド動作が可能になる周知の装置であり、図では省略している。
【００１７】
２４はスイッチ部操作部である。利用者は、スイッチ部誤動作防止部２３を押しながらスイッチ部操作部２４を本体筐体８ａの側面に沿った方向（図４で左右の方向）に動かすことにより、付属筐体８ｂの開閉操作を行う。これらスイッチ部誤動作防止部２３、及びスイッチ部操作部２４が図２に示した通り、携帯電話の筐体外に出ている部分である。
【００１８】
２５はスイッチ部保持棒で、スイッチ部２の上記の動きをスムースにガイドし、かつスイッチ部２の保持を行うために設けられ、スイッチ保持部４へ挿入される。このスイッチ部保持棒２５には図２に示した通り、スイッチ部開時戻り用バネ６ａ及びスイッチ部閉時戻り用バネ６ｂが設けられており、利用者の操作のない場合には、常にスイッチ部２が定位置に保持される。
【００１９】
即ち、スイッチ部操作部２４をスライドさせ、開操作を行うと、スイッチ部開時戻り用バネ６ａが収縮され、その復元力により開操作の終了後にスイッチ部２が定位置へ戻る。また、スイッチ部操作部２４を反対方向へスライドさせ、閉操作を行うとスイッチ部閉時戻り用バネ６ｂが収縮され、その復元力により閉操作の終了後にスイッチ部２が定位置へ戻る。
【００２０】
開時電気スイッチ７ａ、閉時電気スイッチ７ｂはいずれも圧力を感じることによって動作する電気スイッチである。開時電気スイッチ７ａは開操作の際にスイッチ部操作部２４に接触して圧力を受ける位置に設置される。また、閉時電気スイッチ７ｂは閉操作の際にスイッチ部操作部２４に接触して圧力を受ける位置に設置される。
【００２１】
図５は、ストッパー部３の構造を示す図であり、（ａ）にはストッパー部３を上から見た構造が、そして（ｂ）にはストッパー部３を横から見た構造が示されている。このストッパー部３は上下に役割が分担され、ストッパー部ヒンジ保持部３１はヒンジ部突起部材１２を係止する部分である。即ち、ヒンジ部突起部材１２はストッパー部ヒンジ保持部３１の外側にあって係止される。
【００２２】
併せて、ストッパー部ヒンジ保持部３１はヒンジ部突起部材１２によって押出される部分である。即ち、ストッパー部ヒンジ保持部３１がヒンジ部突起部材１２を係止していない場合に、ヒンジ部突起部材１２がストッパー部ヒンジ保持部３１の手前のふくらみのガイドを内側から外側（図５（ａ）で右から左）に、回動しつつスライドすることにより、ストッパー部バネ５が収縮してストッパー部３の全体を奥（ヒンジ部突起部材１２の動きと約直角方向で、携帯電話の中央方向）へ押出す。
【００２３】
ストッパー部３の全体が奥へ押出されることにより、ヒンジ部突起部材１２がストッパー部ヒンジ保持部３１の外側に移動し、それと離れることにより、ストッパー部バネ５の復元によりストッパー部３の全体が手前に戻り、それによってヒンジ部突起部材１２はストッパー部ヒンジ保持部３１の外側にあって係止される。
【００２４】
ストッパー部スイッチ接触部３２はスイッチ部突起部材２１によって押出される部分である。即ち、スイッチ部突起部材２１がストッパー部スイッチ接触部３２の手前のふくらみのガイドを内側から外側（図５（ａ）で左から右）にスライドすることにより、ストッパー部バネ５が収縮してストッパー部３の全体を奥（図７参照。スイッチ部突起部材２１の動きと約直角方向で、携帯電話の中央方向）へ押出す。
【００２５】
ストッパー部ヒンジ保持部３１がヒンジ部突起部材１２を係止している場合に、ストッパー部３の全体が奥へ押出されることにより、ヒンジ部突起部材１２がストッパー部ヒンジ保持部３１からはずれ、ヒンジ部ギア部材１１（即ち、付属筐体８ｂ）はヒンジ部弾性体１６の力に従った回動が可能となる。
【００２６】
次に、開操作の動作の説明を図６ないし図８を用いて行う。ここで、図６は本発明の実施形態に係わる開閉装置の開操作の動作を示す側面図である。実線で書かれた付属筐体８ｂは、それが開位置にある場合を示している。また、破線は閉位置を示している。図７は開動作における各部材の動作の方向を示し、図８は閉状態、開操作中、開操作完了の各工程の状態図を示している。
【００２７】
開位置においては本体筐体８ａと付属筐体８ｂは１８０度以下の大きな角度をなす。一方、閉位置では、本体筐体８ａの内側に設けられたキーボード及びマイク、付属筐体８ｂの内側に設けられたディスプレー及びスピーカいずれもが操作できない状態となる。図７は本発明の実施形態に係わる開閉装置の開操作の動作を示す上面図であって、利用者の操作により開操作が行われた時の状態を表している。
【００２８】
開操作の動作は以下のように行われる。
【００２９】
（１）図８（ａ）に示す閉状態で、利用者は、スイッチ部誤動作防止部２３を押しながらスイッチ部操作部２４を、スイッチ部突起部材２１がストッパー部スイッチ接触部３２の手前のふくらみのガイドを内側から外側（図７で左から右）にスライドするする方向へ力を加えることによって、スイッチ部２を右にスライドさせる。
【００３０】
（２）スイッチ部２が右にスライドされることによってスイッチ部突起部材２１がストッパー部スイッチ接触部３２の傾斜のガイドに添って移動し、ストッパー部バネ５により可動するストッパー部３を押出す。ストッパー部３はスイッチ部２の移動方向と約直角の方向（図７で上下の方向）にのみ動くようになっているので、図８（ｂ）で示すように奥の方向へ動く。
【００３１】
（３）スイッチ部２の開操作前の閉位置にある際（図８（ａ）参照）、ヒンジ部ギア１の内部に設けられているヒンジ部弾性体１６は収縮状態にあり、ヒンジ部ギア部材１１はそのバネの力によって付属筐体８ｂを開位置へ回動させる力、即ち、図６で反時計回りの力を受けている。しかし、ヒンジ部突起部材１２がヒンジ部ギア１の右下にありストッパー部ヒンジ保持部３１に係止されているため、ヒンジ部ギア１は静止している。
【００３２】
ストッパー部３が（２）のようにスライドすると、ストッパー部ヒンジ保持部３１に係止されていたヒンジ部突起部材１２の係止状態がはずれることにより、ヒンジ部ギア部材１１が回動し、それにヒンジ座結されている付属筐体８ｂも開位置へ回動する（図８（ｃ）参照）。開位置において、ヒンジ部突起部材１２は概ね上側にある。
【００３３】
（４）スイッチ部２が右にスライドされる際、スイッチ部開時戻り用バネ６ａが収縮する。また、開時電気スイッチ７ａがオン状態になり、図１２に示す結線が用いられているため、携帯情報端末回路４１に通電される。
【００３４】
（５）付属筐体８ｂが開位置へ回動された後、利用者がスイッチ部操作部２４から手を離すことにより、スイッチ部開時戻り用バネ６ａの復元力によってスイッチ部３は操作前の定位置に戻る。それと同時にスイッチ部誤動作防止部２３が復旧し、それを操作しないとスイッチ部２が動かない状態となる。また、収縮していたストッパー部バネ５が復元する。
【００３５】
（６）付属筐体８ｂが開位置へ回動された後、利用者がスイッチ部操作部２４から手を離すことにより、同時に、開時電気スイッチ７ａはオフ状態に戻るが、図１２に示す結線回路により、携帯情報端末回路４１には電源４２より電源供給が持続される。即ち、図１２で、電源供給持続回路４３は、端子４４と端子４５の間に電源が供給されていると端子４４と端子４６の間がオン状態となる周知の回路である。
【００３６】
閉時電源スイッチ７ｂは閉動作時以外はオン状態であるので、開動作時に開時電気スイッチ７ａがオン状態になると携帯情報端末回路４１へ通電されると同時に電源供給持続回路４３にも通電される結果、開動作電気スイッチ７ａがオフ状態に戻っても、携帯情報端末回路４１への通電は続く。
【００３７】
次に、閉操作の動作の説明を図９ないし図１１を用いて行う。ここで、図９は本発明の実施形態に係わる開閉装置の閉操作の動作を示す側面図である。実線で書かれた付属筐体８ｂはそれが開位置にある場合を示し、また、破線は閉位置を示していることは既に開操作の動作の説明で行ったので省略する。図１０は閉動作における各部材の動作の方向を示し、図１１は開状態、閉操作中、閉操作完了の各工程の状態図を示している。
【００３８】
閉操作の動作は以下のように行われる。
【００３９】
（１）図１１（ａ）に示す開状態で、利用者はスイッチ部誤動作防止部２３を押しながら、スイッチ部操作部２４を開操作の場合とは逆の方向、即ち、図１０に示すように、左の方向へ力を加えることによって、スイッチ部２を左にスライドさせる。
【００４０】
（２）スイッチ部２が左にスライドされることによってスイッチ部面状ギア２２がヒンジ部ギア部材１１のギアとかみ合いながら左へ動く。それにより、ヒンジ部ギア部材１１は付属筐体８ｂを開位置へ回動する方向、即ち、図１０で示すように時計回りに回動する。
【００４１】
閉位置においては概ね上側にあったヒンジ部突起部材１２が右下まで回動すると、ヒンジ部突起部材１２はストッパー部ヒンジ保持部３１の内側、即ち、図１０で右側からあたる。ヒンジ部突起部材１２がさらに時計回りに回動することにより、ストッパー部ヒンジ保持部３１の傾斜のガイドに添ってストッパー部３が奥方向（ヒンジ部突起部材１２の動きと約直角方向で、携帯電話の中央方向）へ押出される。その際、ストッパー部バネ５が収縮する。
【００４２】
（３）更に、ヒンジ部ギア部材１１が時計回りに回り、付属筐体８ｂが閉位置に至ると、ヒンジ部突起部材１２がストッパー部ヒンジ保持部３１の右側外周を回り、図１１（ｂ）に示すように突起部がなくなった位置に達した時、ヒンジ部突起部材１２はストッパー部ヒンジ保持部３１と離れる。
【００４３】
すると、ストッパー部バネ５が復元し、ストッパー部３が元の位置に戻り、図１１（ｃ）に示すようにヒンジ部突起部材１２はストッパー部ヒンジ保持部３１に再び係止される。これにより、ヒンジ部ギア部材１１が停止し、同時に付属筐体８ｂも閉位置で停止する。ヒンジ部ギア部材１１の回動に従い、ヒンジ部弾性体固定部材１４も回動し、ヒンジ部弾性体１６が圧縮され、開動作に必要な回動力が蓄えられる。
【００４４】
（４）スイッチ部２が左にスライドされる際、図１０に示すようにスイッチ部閉時戻り用バネ６ｂが収縮する。また、閉動作時以外はオン状態である閉時電気スイッチ７ｂがオフ状態になり、携帯情報端末回路４１への通電が停止する。
【００４５】
（５）ヒンジ部ギア部材１１が停止すると、その円筒状ギアとスイッチ部面状ギア２２がかみ合っているので、スイッチ部２も停止する。一方、ここまでの閉操作に伴い、スイッチ部閉時戻りバネ６ｂが圧縮されており、スイッチ２を定位置へ戻す復元力が働いている。そこで、スイッチ部面状ギア２２とヒンジ部ギア部材１１のギアとのかみ合いを外すことにより、スイッチ部２を定位置へ戻す。
【００４６】
図では省略したが、スイッチ部２の動きの範囲には余裕があり、利用者がスイッチ部操作部２４を図９の下側（スイッチ部２の動きと約直角方向で、閉位置における付属筐体８ｂより離れる方向）にずらすことによってギアのかみ合いが外れる。ギアのかみ合いが外れることにより、スイッチ部閉時戻り用バネ６ｂの復元力によってスイッチ部２は操作前の定位置に戻る。それと同時にスイッチ部誤動作防止部２３が復旧し、それを操作しないとスイッチ部２が動かない状態となる。
【００４７】
（６）ギアのかみ合いが外れ、スイッチ部閉時戻り用バネ６ｂの復元力によってスイッチ部２が操作前の定位置に戻ることにより、閉時電気スイッチ７ｂはオン状態に戻る。しかし、図１２に示すように、携帯情報端末回路４１への電源供給の停止が続く。即ち、閉時電気スイッチ７ｂがオフになることにより端子４４と端子４５間の電源供給が止まり、電源供給持続回路４３の持つ端子４４と端子４６の間をオン状態とする機能も停止する。その結果、閉時電気スイッチ７ｂがオンに戻っても携帯情報端末回路４１への通電の停止が続く。
【００４８】
閉動作に際して、スイッチ部突起部材２１はストッパー部ヒンジ保持部３１やヒンジ部ギア１と触れることはない。即ち、スイッチ部突起部材２１はストッパー部スイッチ接触部３２と接触する位置にあり、図５に示す通り、それはストッパー部ヒンジ保持部３１やヒンジ部ギア１と比較すると下側に設置されているからである。
【００４９】
なお、本実施形態では、開時電気スイッチ７ａと閉開時電気スイッチ７ｂとで携帯情報端末回路４１への電源の供給のオン、オフを制御するとしたが、その他の制御でもよい。例えば送信の開始や終了、受信の開始や終了、更には利用者の登録した機能の制御でもよい。本発明は以上の構成に限定されるものではなく、種々の変形が可能である。
【００５０】
【発明の効果】
以上述べたように、本発明によれば、スイッチ操作部によって携帯情報端末装置の開閉を行えるようにしている。従って、両手が使えない状況にあっても容易に開閉操作を行うことが可能となる。
【図面の簡単な説明】
【図１】本発明の実施形態に係わる開閉装置の立体図。
【図２】本発明の実施形態に係わる開閉装置の上面図及び側面図。
【図３】図１のヒンジ部ギアの上面図及び側面図。
【図４】図１のスイッチ部の上面図。
【図５】図１のストッパー部の上面図及び立体図。
【図６】図１の開閉装置の開動作を示す側面図。
【図７】図１の開閉装置の開動作における各部材の動作の方向を示す図。
【図８】図１の開閉装置の開動作時の閉状態、開操作中、開操作完了の各工程の状態を示す図。
【図９】図１の開閉装置の閉動作を示す側面図。
【図１０】図１の開閉装置の閉動作における各部材の動作の方向を示す図。
【図１１】図１の開閉装置の閉動作時の開状態、閉操作中、閉操作完了の各工程の状態を示す図。
【図１２】図１の開閉装置の電気スイッチを用いた電源回路。
【符号の説明】
１　ヒンジ部ギア
２　スイッチ部
３　ストッパー部
６ａ　スイッチ部開時戻り用バネ
６ｂ　スイッチ部閉時戻り用バネ
７ａ　開時電気スイッチ
７ｂ　閉時電気スイッチ
８ａ　本体筐体
８ｂ　付属筐体
１１　ヒンジ部ギア部材
１２　ヒンジ部突起部材
１３　ヒンジ部ギア内部部材
１６　ヒンジ部弾性体
２１　スイッチ部突起部材
２２　スイッチ部面状ギア
２４　スイッチ部操作部
３１　ストッパー部ヒンジ保持部
３２　ストッパー部スイッチ接触部
【図１】
2004084838.tif 000003
【図２】
2004084838.tif 000004
【図３】
2004084838.tif 000005
【図４】
2004084838.tif 000006
【図５】
2004084838.tif 000007
【図６】
2004084838.tif 000008
【図７】
2004084838.tif 000009
【図８】
2004084838.tif 000010
【図９】
2004084838.tif 000011
【図１０】
2004084838.tif 000012
【図１１】
2004084838.tif 000013
【図１２】
2004084838.tif 000014